(57)【要約】【課題】映像信号の特定の輝度範囲において、彩度、色相、明度の調整を可能とする手段をユーザに提供することにより、ユーザ所望の品位の画質を容易に設定できるようにする。【解決手段】所定の系統色ごとに彩度・色相・明度をそれぞれ調整可能としたカラーマネジメント機能において、高輝度範囲Ｈのカラー設定値と、低輝度範囲Ｌのカラー設定値とをそれぞれ個別に調整できるようにする。ユーザは、調整対象として彩度を選択し、調整対象の系統色を選択し、さらに低輝度範囲Ｌまたは高輝度範囲Ｈを選択し、選択した輝度範囲のカラー設定値を増減させる操作を行う。低輝度範囲Ｌと高輝度範囲Ｈの中間の輝度範囲Ｍは曲線補間または直線補間する。同様の調整を色相及び明度に対しても可能とする。また、系統色を選択することなく一律に色相・彩度を調整するティント／カラーゲイン機能においても、同様に高輝度範囲Ｈと低輝度範囲Ｌに対する調整を可能とする。【選択図】図４
2009170999.tif 000002
【特許請求の範囲】
【請求項１】
入力した映像信号に対する映像処理を行う映像処理部と、該映像処理部で処理された映像信号を表示する表示手段と、操作入力を受け付ける操作入力部とを備え、前記映像処理部は、前記入力した映像信号の彩度、色相、及び明度を、前記操作入力部に対する操作入力に従ってそれぞれ個別に調整可能とした表示装置において、
映像信号が取り得る輝度の範囲のなかから調整対象とする複数の輝度範囲を予め設定し、前記操作入力部に対する操作入力に従って、前記彩度、色相、及び明度のそれぞれについて、前記複数の輝度範囲の調整を可能としたことを特徴とする表示装置。
【請求項２】
請求項１に記載の表示装置において、前記映像処理部は、０〜３６０°で表わされる色相軸を角度方向に複数に分割し、分割したそれぞれの領域の色相について、彩度、色相、明度をそれぞれ調整可能としたカラーマネジメント部を有し、
前記カラーマネジメント部は、前記分割した領域の色相について前記彩度、色相、及び明度をそれぞれ調整する際に、前記彩度、色相、及び明度のそれぞれについて前記複数の輝度範囲の調整を可能としたことを特徴とする表示装置。
【請求項３】
請求項１または２に記載の表示装置において、前記映像処理部は、映像信号の色相を一律に調整するティント調整部を有し、該ティント調整部は、前記色相を一律に調整する際に、前記複数の輝度範囲の調整を可能としたことを特徴とする表示装置。
【請求項４】
請求項１〜３のいずれか１に記載の表示装置において、前記映像処理部は、映像信号の彩度を一律に調整するカラーゲイン調整部を有し、該カラーゲイン調整部は、前記彩度を一律に調整する際に、前記複数の輝度範囲の調整を可能としたことを特徴とする表示装置。
【請求項５】
請求項１〜４のいずれか１に記載の表示装置において、前記調整対象とする複数の輝度範囲は、１つの輝度範囲と他の輝度範囲との間に、調整対象としない輝度範囲が存在するように設定され、前記調整対象としない輝度範囲は、前記調整対象とする複数の輝度範囲に対する調整値を曲線補間または直線補間した調整値とすることを特徴とする表示装置。
【請求項６】
請求項５に記載の表示装置において、前記調整対象とする複数の輝度範囲は、低輝度側範囲と高輝度側範囲との２つの範囲であり、前記低輝度側範囲は、映像信号の全輝度範囲の最も低輝度側に設定され、前記高輝度側範囲は、映像信号の全輝度範囲の最も高輝度側に設定され、前記低輝度側範囲と前記高輝度側範囲との間の輝度範囲を前記曲線補間または直線補間することを特徴とする表示装置。
【発明の詳細な説明】
【技術分野】
【０００１】
本発明は表示装置、より詳細には、カラー画像に対して色調整を行う機能を備えた表示装置に関する。
【背景技術】
【０００２】
液晶パネルを表示手段として用いた液晶テレビなどの表示装置において、カラー画像を表示する際に、使用条件等に合わせて所望の画像となるように色調整を行う機能が設けられている。特に、色信号を色相Ｈ（Hue）、彩度Ｓ（Saturation）、明度Ｖ（Value）３属性で表して調整を行うＨＳＶ色空間変換処理は、色相、彩度、明度を独立に扱うことができ、広く採用されている。
【０００３】
液晶パネルを表示装置としたテレビ受像機においても、上記のようなＨＳＶによる色調整機能が提供されている。この色調整機能は、カラーマネジメント機能とも呼ばれている。
カラーマネジメント機能の一例では、色相の構成要素となる６つの系統色（Ｒ（赤）、Ｇ（緑）、Ｂ（青）、Ｙ（黄）、Ｃ（シアン）、Ｍ（マゼンタ））のそれぞれについて、色相Ｈ、彩度Ｓ、明度Ｖを個々に変化させる調整を行うことができる。色相調整を行う場合には、ユーザ操作によって上記６つの系統色から任意の系統色を選択し、その選択した系統色について色相調整が可能となっている。例えば、Ｒ（赤）を選択したとき、その調整値を＋側に調整すれば、Ｒ（赤）の色相が黄に近づくように変更され、―側に調整すればマゼンタに近づくように変更される。また彩度や明度を変更する場合にも、上記の６つの系統色から任意の系統色を選択し、その選択した系統色について彩度（色の濃さ）、ないし明度をそれぞれ調整できるようにしている。
【０００４】
また上記のようなテレビ受像機の一例において、選択した系統色について色相、明度、彩度を調整するカラーマネジメント機能に加えて、系統色に係わりなく色の濃さ（彩度）を一律に調整するカラーゲイン調整機能、及び色相を一律に調整するティント調整機能が付与されている。
【０００５】
例えば、特許文献１では、ＲＧＢで表される色信号に対して、色空間変換の処理を行わずにＨＳＶでの色判定および色調整を行うことが可能な色調整装置が開示されている。この色調整装置は、入力されたＲＧＢ信号に基づいて最大値、中央値、最小値を出力するための比較手段と、入力データの色相を判別し識別符号を出力するための色相判定手段と、色相毎に設定された色相調整値、彩度調整値、明度調整値を出力するための調整値算出手段と、入力データの明度を調整するための明度調整手段と、入力データの彩度を調整するための彩度調整手段と、入力データの色相を調整するための色相調整手段と、αβγ信号を元のＲＧＢ信号へ戻すための選択手段とを備えている。このような構成により、ＲＧＢ信号を複雑な色空間変換を行うことなくＨＳＶで色調整を行うことが可能となり、装置の簡略化及び処理時間の短縮化を実現できるようにしている。
【特許文献１】特開２００３−１６３８１４号公報
【発明の開示】
【発明が解決しようとする課題】
【０００６】
図１６は、従来の色調整機能の一例を説明するための図である。上述したように、従来の色調整機能には、色相を分割した複数の系統色についてそれぞれ色相、彩度、明度を調整可能なカラーマネジメント機能や、彩度（色の濃さ）を全輝度レベルの範囲で一律に調整するカラーゲイン調整機能、色相を一律に調整するティント調整機能などがある。
彩度は、例えばＹＵＶ信号の色成分ＵＶを増減させることにより調整される。この調整値がカラー設定値である。図１１（Ａ）もしくは図８に示すように、映像信号の輝度（Ｙ）に対してカラー設定値が予め設定されている。そして、ユーザによるメニュー操作によって、このカラー設定値を増減させることができる。カラー設定値を大きくすれば色が濃く（彩度が高く）なり、カラー設定値を小さくすればその逆となる。
【０００７】
上記の処理は、カラーマネジメント機能とカラーゲイン調整機能とにおいて同様であり、カラーマネジメント機能を用いれば、選択した個々の系統色について彩度を調整することができ、カラーゲイン機能を用いれば、系統色に係わりなく一律に彩度を調整することができる。
【０００８】
このように映像信号の彩度を調整する処理においては、映像信号の輝度成分と色成分のうち、輝度成分を一定にしたまま色成分を増減させる調整を行っている。ここでは、映像信号の輝度レベルに係わりなく一律に色が濃くなったり薄くなったりする（彩度が変化する）。
【０００９】
従って、上記のごとくの従来技術では、映像信号の特定の輝度レベルにおいて彩度を任意に調整することができなかった。例えば、系統色としてＢ（青）を選択したときに、暗い青（輝度が低い青）のときに青色を薄く（彩度を低く）するという制御や、明るい青（輝度が高い青）のときに青色を濃く（彩度を高くする）というような制御を行うことができなかった。例えば、暗いシーンで色が濃く見えすぎるため、ユーザ操作によって色が薄くなるように調整した場合、色の濃さが一律で変化するため、明るいシーンで薄くなりすぎる、などの問題が生じることがあった。つまり、映像信号の輝度レベルに関わりなく、一律にカラー設定値を増減させる調整では、調整の自由度が低く、ユーザ所望の品位を常に得ることができない、という課題があった。
【００１０】
また、液晶ディスプレイやプラズマディスプレイなどを用いた表示装置では、ホワイトバランスが均一ではなく、その調整精度によっては、映像信号の輝度レベルに応じて表示色が変わって見えてしまうことがある。例えば、映像信号が暗い部分では、肌色が黄色味を帯びて見え、一方明るい部分では肌色が赤味を帯びて見える、というような現象が生じしまう。つまり映像信号の輝度レベルに応じた色相調整が可能であれば、より自由度が高くなってユーザ所望の品の映像が得られるようになる。
【００１１】
同様に明度についても、従来では映像信号の輝度レベルに係わりなく、一律に明度が調整されていた。しかしながら、例えば、黄色などの系統色の明度を増大させて、暗い（低輝度）黄色の明度を増大させようとしたときに、明るい（高輝度の）黄色の明度が上がりすぎて、明るい部分の品位が低下する、などの不具合が生じることがあった。映像信号の輝度レベルに応じて多様な明度調整が容易に可能となれば、さらに調整の自由度が高くなってユーザ所望の品位の映像が得られるようになる。
【００１２】
また、従来の液晶テレビでは、輝度に応じた色補正機能を備えたものもある。この液晶テレビは、映像信号の輝度に応じて細かく色の濃さを設定できるようになっている。しかしながらこの構成は、ルックアップテーブルで管理されており動作が複雑なため、液晶テレビの内部設定として実用化され、輝度に応じた色補正はユーザに開放されてなく、ユーザにとっては、このような色補正を行う手段はなかった。
【００１３】
本発明は、上述のごとき実情に鑑みてなされたもので、映像信号の特定の輝度範囲において、彩度、色相、明度の調整を可能とする手段をユーザに提供することにより、ユーザ所望の品位の画質を容易に設定できるようにした表示装置を提供することを目的とするものである。
【課題を解決するための手段】
【００１４】
上記課題を解決するために、本発明の第１の技術手段は、入力した映像信号に対する映像処理を行う映像処理部と、映像処理部で処理された映像信号を表示する表示手段と、操作入力を受け付ける操作入力部とを備え、映像処理部は、入力した映像信号の彩度、色相、及び明度を、操作入力部に対する操作入力に従ってそれぞれ個別に調整可能とした表示装置において、映像信号が取り得る輝度の範囲のなかから調整対象とする複数の輝度範囲を予め設定し、操作入力部に対する操作入力に従って、彩度、色相、及び明度のそれぞれについて、複数の輝度範囲の調整を可能としたことを特徴としたものである。
【００１５】
第２の技術手段は、第１の技術手段において、映像処理部は、０〜３６０°で表わされる色相軸を角度方向に複数に分割し、分割したそれぞれの領域の色相について、彩度、色相、明度をそれぞれ調整可能としたカラーマネジメント部を有し、カラーマネジメント部は、分割した領域の色相について彩度、色相、及び明度をそれぞれ調整する際に、彩度、色相、及び明度のそれぞれについて複数の輝度範囲の調整を可能としたことを特徴としたものである。
【００１６】
第３の技術手段は、第１または２の技術手段において、映像処理部は、映像信号の色相を一律に調整するティント調整部を有し、ティント調整部は、色相を一律に調整する際に、複数の輝度範囲の調整を可能としたことを特徴としたものである。
【００１７】
第４の技術手段は、第１〜３のいずれかの技術手段において、映像処理部は、映像信号の彩度を一律に調整するカラーゲイン調整部を有し、カラーゲイン調整部は、彩度を一律に調整する際に、複数の輝度範囲の調整を可能としたことを特徴としたものである。
【００１８】
第５の技術手段は、第１〜４の技術手段において、調整対象とする複数の輝度範囲は、１つの輝度範囲と他の輝度範囲との間に、調整対象としない輝度範囲が存在するように設定され、調整対象としない輝度範囲は、調整対象とする複数の輝度範囲に対する調整値を曲線補間または直線補間した調整値とすることを特徴としたものである。
【００１９】
第６の技術手段は、第５の技術手段において、調整対象とする複数の輝度範囲は、低輝度側範囲と高輝度側範囲との２つの範囲であり、低輝度側範囲は、映像信号の全輝度範囲の最も低輝度側に設定され、高輝度側範囲は、映像信号の全輝度範囲の最も高輝度側に設定され、低輝度側範囲と高輝度側範囲との間の輝度範囲を曲線補間または直線補間することを特徴としたものである。
【発明の効果】
【００２０】
本発明によれば、映像信号の特定の輝度範囲において、彩度、色相、明度の調整を可能とする手段をユーザに提供することにより、ユーザ所望の品位の画質を容易に設定することができるようになる。
【発明を実施するための最良の形態】
【００２１】
図１は、本発明に係る表示装置の一実施形態の構成例を説明するためのブロック図で、本発明の表示装置を液晶テレビに適用した例を示すものである。
表示装置１のＡＶセレクタ１３には、アンテナ１０で受信してチューナ部１１で選局され復調された放送映像信号や、外部機器からの外部入力信号が入力され、ＡＶセレクタ１３によってその出力信号が選択される。
ＡＶセレクタ１３から出力された信号を映像信号やデータ信号は、ＡＤ変換部でＡＤ変換され、デコーダ１５でデコードされる。データ信号には、ＥＰＧ（電子番組表）の番組情報や、ＯＳＤ（on screen display）表示用のコード信号などが含まれる。
また、ＡＶセレクタ１３から出力された音声信号は、音声処理部１６で音声処理され、スピーカ１７から音声出力される。
【００２２】
またデコーダ１５でデコード処理された映像信号やデータ信号は、映像処理部１８に入力する。映像処理部１８は、映像信号のコントラスト／ブライトネスを調整するコントラスト／ブライトネス調整部１８１、映像信号にエンハンスト（輪郭強調）処理を施すエンハンス部１８２、映像信号の輝度を判別する輝度判別部１８３、ティント／カラーゲインを調整するティント／カラーゲイン調整部１８４、及びカラーマネジメント部１８５を有している。
【００２３】
ティント／カラーゲイン調整部１８４では、映像信号のティント（色合い）とカラーゲインとを個別に調整することができる。ティント調整は、実際には色相調整を行うことで色合いを調整するものであってティント調整と色相調整は同義であり、また、カラーゲイン調整は彩度調整と同義である。ここでは、調整値を曲線補間または直線補間する機能が備えられている。また、カラーマネジメント部１８５では、色相を分割した各系統色（Ｒ、Ｇ、Ｂ、Ｙ、Ｃ、Ｍ）のそれぞれについて、色相、彩度、明度を個々に調整することができる。カラーマネジメント部１８５においても、色相、彩度、明度の調整値を曲線補間または直線補間する機能が備えられている。
これらティント／カラーゲイン調整部１８４と、カラーマネジメント部１８５とにおける具体的な調整処理は後述する。
【００２４】
輝度判別部１８３は、映像信号の輝度を判別する。映像処理部１８では、ティント／カラーゲイン調整部１８４、及びカラーマネジメント部１８５によって調整された色相、彩度、明度の調整パラメータに従って、映像信号の色調整を行って出力する。
この例では、デコーダ１５から映像処理部１８に入力したＹＵＶ形式の映像信号に対してコントラスト／ブライトネス調整部１８１により適宜必要に応じて調整を行った後、輝度判別部１８３にて映像信号の輝度を判別し、色調整を行う。そして色調整された映像信号に対して、必要に応じてエンハンス調整部でエンハンス調整を行って、ＹＵＶ形式の映像信号を出力する。
【００２５】
ＲＧＢプロセッサ１９は、映像処理部１８から出力されたＹＵＶ形式の映像信号をＲＧＢ信号に変換する。このときにガンマ補正などの処理が行われる。
ＬＣＤ２０は、液晶パネルによる表示デバイスとバックライトとを備え、ＲＧＢプロセッサ１９から出力されたＲＧＢの映像信号に従って液晶を駆動することにより映像を表示する。またバックライトは駆動回路と発光体とを備え、駆動回路によって発光体を駆動する。発光体としては、一般的な蛍光管（ＣＣＦＬ）やＬＥＤ、あるいは蛍光管とＬＥＤを併用したハイブリッドタイプのものが適用される。
【００２６】
リモコン２３は、本発明の操作入力部に該当し、ユーザ操作に応じたリモコン信号を送信する。表示装置１に備えられた受光部２２では、リモコン２３から送信されたリモコン信号を受光し、マイコン２１に送る。マイコン２１は、映像処理部１８の各機能を制御し、また装置各部を制御するもので、リモコン２３から送信されたリモコン信号を解析して、そのリモコン信号に応じた制御を実行する。
【００２７】
次に、表示装置が備えるカラーマネジメント機能と、ティント／カラーゲイン調整機能とについてさらに具体的に説明する。上記のように、本実施形態の表示装置１は、映像信号の色調整を行うためのカラーマネジメント部１８５と、ティント／カラーゲイン調整部１８４とを有している。
映像処理部１８では、デコーダからＹＵＶ信号が入力される。カラーマネジメント部１８５と、ティント／カラーゲイン調整部１８４では、このＹＵＶ信号の輝度成分Ｙと色成分（ＵＶ）値をユーザ操作に応じて調整することで、ユーザ所望の品位となるような色調整を行う。
【００２８】
図２は色相、彩度、明度を円錐形で示した色度図で、図３は色度図上の色相分割と色相軸の調整状態を説明するための図である。図３は図２の円錐形の色度図の円錐断面図に相当する。図３では、０〜３６０°で表される色相を角度方向に６分割し、各６０度の色相領域を位相角に対応させて表示している。そして６分割した領域の色相は、上記の６つの系統色であるＲ（赤）、Ｇ（緑）、Ｂ（青）、Ｙ（黄）、Ｃ（シアン）、及びＭ（マゼンタ）に対応している。
【００２９】
本発明に係る実施形態では、このように色相を６分割して６軸のカラーマネジメントを実行できるようになっているが、分割数は６つに限定されるものではない。ただし、ユーザによる選択・判断を容易にするため、本実施形態では分割数を６つの系統色に対応させている。
【００３０】
カラーマネジメント部１８５では、色相の構成要素となる６つの系統色（Ｒ（赤）、Ｇ（緑）、Ｂ（青）、Ｙ（黄）、Ｃ（シアン）、Ｍ（マゼンタ）のそれぞれについて、色相、彩度、明度を個々に変化させる調整を行うことができる。
色相を調整する場合には、ユーザ操作に従って上記系統色のいずれかを選択し、選択した系統色に対応する色相の位相角を回転させる。図３において、例えば、ユーザ操作によってＹ（黄）が選択され、ユーザ操作によってＹの位相角が調整されると、Ｙの色相が矢印Ａ方向に回転し、例えば斜線領域に示す状態となるように調整することができる。
【００３１】
また、彩度を調整する場合、同様にユーザ操作に従って上記系統色のいずれかを選択し、選択した系統色の色成分（ＵＶ）をユーザ操作に応じて増減させる。これよって、選択した系統色について色の濃さ（彩度）を調整することができる。彩度を調整した場合には、図３の各系統色に相当する扇形の領域が矢印Ｂ方向に相似拡大または相似縮小するように調整される。
【００３２】
さらに、明度を調整する場合、同様にユーザ操作に従って上記系統色のいずれかを選択し、その選択した系統色の輝度成分Ｙをユーザ操作に応じて増減させる。これによって選択した図２の系統色に相当する領域について、図１の円錐の切断位置（図２の円錐断面に相当する位置）が円錐の垂線方向（明度の方向）に動くように調整される。
【００３３】
一方、ティント／カラーゲイン調整部１８４では、上記のカラーマネジメント部１８５のような６分割の系統色を個々に調整するのではなく、映像信号の色相、及び色の濃さ（彩度）を一律に調整する機能を有している。
色相を調整する場合には、図３に示す６軸の色相全体をユーザ操作によって矢印Ａ方向に回転させる。また彩度を調整する場合には、映像信号の色成分（ＵＶ）を、ユーザ設定に応じて増減させる処理を行う。これにより全ての色相において、その調整値に応じた彩度が設定される。
【００３４】
本発明に係る実施形態では、上記のごとくの色調整機能において、カラーマネジメント機能と、ティント／カラーゲイン調整機能とにおいて、映像信号の輝度範囲に応じた色調整を可能とすることを特徴としている。
図４は、カラーマネジメント機能による彩度調整について説明するための図である。上記のように本実施形態のカラーマネジメント機能では、色相の構成要素となる６つの系統色（Ｒ、Ｇ、Ｂ、Ｙ、Ｃ、Ｍ）のそれぞれについて、色相、彩度、明度を個々に調整することができる。ここでは、彩度調整について説明する。
【００３５】
図４に示すように、映像信号が取り得る輝度値の範囲（例えば、８bitの階調で量子化した場合には０〜２５５の階調）のうち、調整対象とする低輝度側範囲Ｌと、高輝度側範囲Ｈとを予め定めておく。例えば一例として、低輝度側範囲Ｌは、全輝度範囲の最も低輝度側で、全輝度範囲の１／３の範囲をもつように設定し、高輝度側範囲Ｈは、全輝度範囲の最も高輝度側で、全輝度範囲の１／３の範囲をもつように設定することができる。これらの輝度範囲の設定は、この例に限ることなく、適宜最適な範囲と位置を設定することができる。また調整対象の輝度範囲としては、低輝度側と高輝度側の２つの調整範囲のみならず、３つまたはそれ以上の調整範囲を設定してもよい。
【００３６】
図４の例において、低輝度側範囲Ｌと高輝度側範囲Ｈでは、横軸の映像信号の輝度値Ｙに対して、カラー設定値を一定にしておく。カラー設定値は、色成分（ＵＶ）を増減させる調整値である。なおこの例では、低輝度側範囲Ｌと高輝度側範囲Ｈのカラー設定値はそれぞれ一定であるが、これらの範囲内でカラー設定値が変化する特性を持たせたものであってもよい。
高輝度側範囲Ｈと低輝度側範囲Ｌとの間の中間の輝度範囲Ｍのカラー設定特性は、高輝度側範囲Ｈのカラー設定値と、低輝度側範囲Ｌのカラー設定値とを曲線補間して生成する。曲線補間の方式は、特定の方式に限定されることなく適宜公知の補間方式を適用することができる。曲線補間することにより、調整対象範囲間のカラー設定値の急激な変化を緩和し、映像品位の低下を抑制することができる。
【００３７】
ユーザは、映像信号の彩度を調整する際に、上記のような高輝度範囲Ｈのカラー設定値と、低輝度範囲Ｌのカラー設定値とをそれぞれ個別に調整することができる。
つまりまずユーザは、調整対象項目として彩度を選択する操作を行って、６つの系統色から調整対象とする系統色を選択し、さらにその選択した系統色について低輝度範囲Ｌまたは高輝度範囲Ｈを選択し、選択した輝度範囲のカラー設定値を増減させる操作を行う。ここでは、図４に示すように、その操作に応じてその調整対象項目のカラー設定値を増減させる調整を行うことができる。カラー設定値を増減させる調整が行われた場合、低輝度範囲Ｌと高輝度範囲Ｈの中間の輝度範囲では曲線補間によってこれらの調整値が補間される。
【００３８】
図５は、カラーマネジメント機能による彩度制御の他の例について説明するための図である。上記図４の例では、高輝度側範囲Ｈと低輝度側範囲Ｌとの間の中間の輝度範囲Ｍにおけるカラー設定値は、曲線補間によって生成している。これに対して図５の例では、高輝度側範囲Ｈのカラー設定値と低輝度側範囲Ｌのカラー設定値とを直線補間して、中間の輝度範囲Ｍのカラー設定値を生成している。直線補間は、カラー設定値の傾きが変わる点で滑らかな変化が得られないが、処理が簡便であるため、映像の要求品位に応じて直線補間を選択してもよい。
【００３９】
図６は、カラーマネジメント機能による色相の制御例について説明するための図である。
カラーマネジメント部１８５では、彩度と同様に色相についても映像信号の輝度範囲に応じた調整が可能である。色相調整の場合にも、上記の彩度調整の例と同様に、映像信号が取り得る輝度値の範囲のうち、調整対象の低輝度側範囲Ｌと、高輝度側範囲Ｈとを予め定めておく。そして低輝度側範囲Ｌと高輝度側範囲Ｈでは、横軸の輝度値Ｙに対して、色相の位相角を一定にしておく。位相角は、図２に示すごとくの色度図の円錐断面における色相の位相角を示している。なおこの例においても、低輝度側範囲Ｌと高輝度側範囲Ｈのカラー設定値は、その範囲内で変化する特性を持たせたものであってもよい。
【００４０】
高輝度側範囲Ｈと低輝度側範囲Ｌとの間の中間の輝度範囲Ｍは、高輝度側範囲Ｈのカラー設定値と、低輝度側範囲Ｌのカラー設定値とを曲線補間した特性となるようにする。ここでも、曲線補間の方式は、特定の方式に限定されることなく適宜公知の補間方式を適用することができる。また、色相調整においても、中間の輝度範囲Ｍでは、曲線補間の代わりに直線補間を適用してもよい。
【００４１】
ユーザは、調整対象項目として色相を選択する操作を行い、６つの系統色から調整対象とする系統色を選択し、さらにその選択した系統色について低輝度範囲Ｌまたは高輝度範囲Ｈを選択し、それぞれの調整範囲について位相角を増減させる操作を行う。位相角を増減させる調整が行われた場合、低輝度範囲Ｌと高輝度範囲Ｈの中間の輝度範囲Ｍでは、曲線補間（または直線補間）によってこれらの調整値が補間される。
【００４２】
図７は、カラーマネジメント機能による明度の制御例について説明するための図である。
カラーマネジメント部１８５では、彩度及び色相と同様に、明度についても映像信号の輝度範囲に応じた調整が可能である。
明度調整の場合にも、映像信号が取り得る輝度値の範囲のうち、調整対象の低輝度側範囲Ｌと、高輝度側範囲Ｈとを予め定めておく。そして低輝度側範囲Ｌと高輝度側範囲Ｈでは、横軸の輝度値Ｙに対して、明度の値を一定にしておく。明度調整により映像信号の輝度Ｙが増減される。なおこの例においても、低輝度側範囲Ｌと高輝度側範囲Ｈの明度は、その範囲内で変化する特性を持たせたものであってもよい。
【００４３】
そして、高輝度側範囲Ｈと低輝度側範囲Ｌとの間の中間の輝度範囲Ｍの明度は、高輝度側範囲Ｈの明度と、低輝度側範囲Ｌの明度とを曲線補間した特性となるようにする。ここでも、曲線補間の方式は特定の方式に限定されることなく適宜公知の補間方式を適用することができる。また、明度調整においても、中間の輝度範囲Ｍでは、曲線補間の代わりに直線補間を適用することができる。
【００４４】
ユーザは、調整対象項目として色相を選択する操作を行い、６つの系統色から調整対象とする系統色を選択し、さらにその選択した系統色について低輝度範囲Ｌまたは高輝度範囲Ｈを選択し、それぞれの調整範囲について明度を増減させる操作を行う。明度を増減させる調整が行われた場合、低輝度範囲Ｌと高輝度範囲Ｈの中間の輝度範囲Ｍでは、曲線補間（または直線補間）によってこれらの調整値が補間される。
【００４５】
以上の例において、カラーマネジメント機能による彩度、色相、明度調整について説明したが、ティント／カラーゲイン調整においても同様に、予め設定した輝度範囲ごとに色調整が可能である。
ティント調整を行う場合には、図６に示す手法で調整を行うことができる。つまり、ユーザは、調整対象項目としてティントを選択する操作を行う。この場合、カラーマネジメント機能と異なり、６つの系統色から調整対象とする系統色を選択する必要はない。そしてティントの調整範囲とする低輝度範囲Ｌまたは高輝度範囲Ｈを選択し、それぞれの調整範囲について位相角を増減させる操作を行う。位相角を増減させる調整が行われた場合、低輝度範囲Ｌと高輝度範囲Ｈの中間の輝度範囲Ｍでは、曲線補間（または直線補間）によってこれらの調整値が補間される。これにより、系統色に係わりなく一律に色相が調整される。
【００４６】
またカラーゲイン機能により彩度調整を行う場合には、図４（または図５）に示す手法で調整を行うことができる。ユーザは、調整対象項目として色の濃さ（彩度）を選択する操作を行う。この場合、カラーマネジメント機能と異なり、６つの系統色から調整対象とする系統色を選択する必要はない。そして彩度の調整範囲とする低輝度範囲Ｌまたは高輝度範囲Ｈを選択し、それぞれの調整範囲についてカラー設定値を増減させる操作を行う。カラー設定を増減させる調整が行われた場合、低輝度範囲Ｌと高輝度範囲Ｈの中間の輝度範囲Ｍでは、曲線補間（または直線補間）によってこれらの調整値が補間される。これにより、系統色に係わりなく一律で色の濃さ（彩度）が調整される。
【００４７】
次に、上記のカラーマネジメント機能及びティント／カラーゲイン機能を用いた色調整を行うためのＵＩ表示について説明する。
【００４８】
（カラーマネジメントによる彩度設定）
図８は、本発明による表示装置における映像調整メニューの表示例を示す図で、カラーマネジメントの彩度調整メニューの例を示すものである。表示装置１には、カラーマネジメント部１８５による調整機能を設定するためのメニューが予め用意され、メモリに記憶保持されている。
【００４９】
ユーザは、リモコン２３を操作することで図８に示すような映像調整メニュー１００を表示させることができる。ここでは、カラーマネジメントの調整項目として、“色相”、“彩度”、“明度”が設定されたカラーマネジメントメニュー１１０が表示される。そして、ユーザ操作によって“彩度”上にカーソルを位置させることにより、彩度レベル表示メニュー１２０が表示される。ここには、６つの系統色（Ｒ，Ｙ，Ｇ，Ｃ，Ｂ，Ｍ）の彩度の設定レベル１２１がバーによって表示される。また、詳細設定ボタン１２２とリセットボタン１２３とが表示され、ユーザ操作によって詳細設定ボタン１２２を押すと下記の図９の表示に移行する。またリセッボタン１２３を押すことにより、彩度の調整値を製品出荷時等の初期値に戻すことができる。
【００５０】
図９は、図８の彩度レベル表示メニューから彩度の詳細設定を選択したときに表示される詳細設定メニューの一例を示す図である。詳細設定メニュー１３０には、６つの系統色（Ｒ，Ｙ，Ｇ，Ｃ，Ｂ，Ｍ）を選択可能とした色選択ボタン１３１が設けられていて、ユーザ操作によって任意の系統色を選択することができる。またここでは、画面を１つ前の画面に戻す“戻る”ボタン１３２と、リセットボタン１３３とが設けられている。
【００５１】
図１０は、図９の詳細設定メニューから特定の系統色を選択したときに表示される調整メニューの一例を示す図である。調整メニュー１４０には、図９で選択した特定の系統色（例えばＢ（青））について、彩度を調整可能とする調整バー１４１，１４２が表示される。各特定色における彩度調整は、その映像信号の輝度の低い（暗い）範囲と輝度の高い（明るい）範囲とによって別々に彩度調整を可能としている。つまり映像信号が取り得る輝度（Ｙ）の範囲のうち、所定の高輝度範囲Ｈと低輝度範囲Ｌとにおいてそれぞれ個別に彩度調整を行うことができるようになっている。
【００５２】
図１０の例では、高輝度側の彩度調整を行うための調整バー１４１と、低輝度側の彩度調整を行うための調整バー１４２とが設けられていて、ユーザ操作によってそれぞれ個別に彩度調整が可能である。
ユーザのリモコン操作によって、高輝度側の調整バー１４１かもしくは低輝度側の調整バー１４２のいずれかを選択した後、さらにリモコンの方向キーを用いて調整バーの調整値を左右に任意に移動させると、その移動に応じた調整値に従って、選択した系統色の彩度調整が可能となる。そして、リモコン２３が備える決定キーをユーザ操作することによって、調整した調整値が表示装置のメモリに保存され、以後その調整値を用いて映像信号の彩度調整処理が実行される。
【００５３】
このような彩度調整は、図８に示す各系統色（Ｒ，Ｙ，Ｇ，Ｃ，Ｂ，Ｍ）のそれぞれについて個別に実行可能である。これによりそれぞれの系統色について、所定の高輝度領域と低輝度領域とで個別に彩度調整が可能となる。なお、図１０の調整メニューにおいても、“戻る”ボタン１４３と、リセットボタン１４４とが設けられている。
【００５４】
（カラーマネジメントによる明度設定）
図１１は、本発明による表示装置における映像調整メニューの他の表示例を示す図で、カラーマネジメントの明度調整メニューの例を示すものである。上記図８に示すカラーマネジメントメニュー１１０において、“明度”上にカーソルを位置させることにより、図１１（Ａ）に示すような明度レベル表示メニュー１５０を表示させることができる。
【００５５】
ここには、６つの系統色（Ｒ，Ｙ，Ｇ，Ｃ，Ｂ，Ｍ）の明度の設定レベル１５１と、詳細設定ボタン１５２とリセットボタン１５３とが表示される。明度レベル表示メニュー１５０から明度の詳細設定ボタン１２２を選択すると、図１１（Ｂ）に示す詳細設定メニュー１６０が表示される。詳細設定メニュー１６０には、６つの系統色（Ｒ，Ｙ，Ｇ，Ｃ，Ｂ，Ｍ）を選択可能とした色選択ボタン１６１と、“戻る”ボタン１６２及びリセットボタン１６３とが設けられている。
【００５６】
詳細設定メニュー１６０から特定の系統色を選択すると、図１１（Ｃ）に示すような調整メニュー１７０が表示される。調整メニュー１７０には、詳細設定メニュー１６０で選択した特定の系統色（例えばＢ（青））について、明度を調整可能とする調整バー１７１，１７２と、“戻る”ボタン１７３と、リセットボタン１７４とが表示されている。
各特定色における明度調整は、その映像信号の輝度の低い（暗い）範囲と輝度の高い（明るい）範囲とによって別々に明度調整を可能としている。つまり映像信号が取り得る輝度（Ｙ）の範囲のうち、所定の高輝度領域（明）と低輝度領域（暗）とにおいてそれぞれ個別に明度調整を行うことができるようになっている。
【００５７】
この例では、高輝度（明）側の彩度調整を行うための調整バー１７１と、低輝度（暗）側の彩度調整を行うための調整バー１７２とが設けられていて、ユーザ操作によってそれぞれ個別に明度調整が可能である。明度の調整値は表示装置のメモリに保存され、以後その調整値を用いて映像信号の明度調整処理が実行される。
【００５８】
このような明度調整は、各系統色（Ｒ，Ｙ，Ｇ，Ｃ，Ｂ，Ｍ）のそれぞれについて個別に実行可能である。これによりそれぞれの系統色について、所定の高輝度領域と低輝度領域とで個別に明度調整が可能となる。
【００５９】
（カラーマネジメントによる色相設定）
図１２は、本発明による表示装置における映像調整メニューの更に他の表示例を示す図で、カラーマネジメントの色相調整メニューの例を示すものである。上記図８に示すカラーマネジメントメニュー１１０において、“色相”上にカーソルを位置させることにより、図１２（Ａ）に示すような色相レベル表示メニュー１９０を表示させることができる。
【００６０】
ここには、６つの系統色（Ｒ，Ｙ，Ｇ，Ｃ，Ｂ，Ｍ）の色相の設定レベル１９１と、詳細設定ボタン１９２とリセットボタン１９３とが表示される。色相レベル表示メニュー１９０から色相の詳細設定ボタン１９２を選択すると、図１２（Ｂ）に示す詳細設定メニュー２００が表示される。詳細設定メニュー１６０には、６つの系統色（Ｒ，Ｙ，Ｇ，Ｃ，Ｂ，Ｍ）を選択可能とした色選択ボタン２０１と、“戻る”ボタン２０２及びリセットボタン２０３とが設けられている。
【００６１】
詳細設定メニュー２００から特定の系統色を選択すると、図１２（Ｃ）に示すような調整メニュー２１０が表示される。調整メニュー２１０には、詳細設定メニュー２００で選択した特定の系統色（例えばＢ（青））について、色相を調整可能とする調整バー２１１，２１２と、“戻る”ボタン２１３と、リセットボタン２１４とが表示されている。
各特定色における色相調整は、その映像信号の輝度の低い（暗い）範囲と輝度の高い（明るい）範囲とによって別々に色相調整を可能としている。つまり映像信号が取り得る輝度（Ｙ）の範囲のうち、所定の高輝度領域（明）と低輝度領域（暗）とにおいてそれぞれ個別に色相調整を行うことができるようになっている。色相の調整値は、表示装置のメモリに保存され、以後その調整値を用いて映像信号の色相調整処理が実行される。このような色相調整は、各系統色（Ｒ，Ｙ，Ｇ，Ｃ，Ｂ，Ｍ）のそれぞれについて個別に実行可能である。これによりそれぞれの系統色について、所定の高輝度領域と低輝度領域とで個別に色相調整が可能となる。
【００６２】
（カラーゲイン機能による色の濃さ（彩度）設定）
図１３は、本発明による表示装置における映像調整メニューの更に他の表示例を示す図で、カラーゲイン機能による色の濃さ（彩度）の調整メニューの例を示すものである。表示装置１には、ティント／カラーゲイン調整部１８４による調整機能を設定するための調整メニューが予め用意され、メモリに記憶保持されている。
【００６３】
ユーザは、リモコン２３を操作することで図１３に示すような映像調整メニュー１０１を表示させることができる。ここでは、ティント／カラーゲインメニュー２２０が表示され、“色合い”、“色の濃さ”が設定され、さらに“エンハンス”も設定されている。“色合い”はティント調整機能に相当し、“色の濃さ”はカラーゲイン機能に相当するものである。
そして、ユーザによるカーソル操作によって“色の濃さ”上にカーソルを位置させることにより、調整メニュー２３０が表示される。調整メニュー２３０には、色の濃さを調整可能とする調整バー２３１，２３２と、戻るボタン２３３及びリセットボタン２３４が表示される。
【００６４】
色の濃さは、その映像信号の輝度の低い（暗い）範囲と輝度の高い（明るい）範囲とによって別々に調整を可能としている。映像信号が取り得る輝度（Ｙ）の範囲のうち、所定の高輝度範囲（明）と低輝度範囲（暗）とにおいてそれぞれ個別に色の濃さの調整を行うことができる。高輝度範囲（明）は、上記図４及び図５に示した高輝度側範囲Ｈに相当し、低輝度範囲（暗）は低輝度側範囲Ｌに相当している。
【００６５】
ユーザは、リモコン操作によって、高輝度側の調整バー２３１かもしくは低輝度側の調整バー２３２のいずれかを選択した後、さらにリモコンの方向キーを用いて調整バーの調整値を左右に任意に移動させると、その移動に応じた調整値に従って、選択した系統色の彩度調整が可能となる。そして、リモコン２３が備える決定キーをユーザ操作することによって、彩度の調整値が表示装置のメモリに保存され、以後そのパラメータを用いて映像信号の彩度調整処理が実行される。
【００６６】
（ティント調整機能による色合い（色相）設定）
図１４は、本発明による表示装置における映像調整メニューの更に他の表示例を示す図で、ティント調整機能による色合い（色相）の調整メニューの例を示すものである。
図１３に映像調整メニュー１０１において、“色合い”上にカーソルを位置させることにより、色合いの調整メニュー２４０が表示される。調整メニュー２４０には、色合いを調整可能とする調整バー２４１，２４２と、戻るボタン２４３及びリセットボタン２４４が表示される。
【００６７】
色合い（色相）は、その映像信号の輝度の低い（暗い）範囲と輝度の高い（明るい）範囲とによって別々に調整を可能としている。映像信号が取り得る輝度（Ｙ）の範囲のうち、所定の高輝度範囲（明）と低輝度範囲（暗）とにおいてそれぞれ個別に色相の調整を行うことができる。色相の調整値は表示装置のメモリに保存され、以後その調整値を用いて映像信号の色合い調整処理が実行される。
【００６８】
図１５は、本発明の表示装置におけるカラーマネジメント機能用いた調整処理例を説明するためのフローチャートである。
まずユーザ操作によって表示装置の表示画面にユーザメニューを表示させる（ステップＳ１）。そして表示装置では、ユーザメニューからカラーマネジメントが選択された場合（ステップＳ２−ＹＥＳ）、カラーマネジメントメニュー表示を行う（ステップＳ３）。カラーマネジメントメニュー表示は、図８〜図１０に示すカラーマネジメントメニュー１１０に相当する。このとき、カーソルの位置に応じて、色相、彩度、明度のいずれかのレベルメニューが表示されている。
【００６９】
ここで、色相、彩度、明度のいずれかの詳細設定が選択された場合（ステップＳ４−ＹＥＳ）、詳細設定メニューを表示させる（ステップＳ５）。詳細設定メニューは、図９の詳細設定メニュー１３０，図１１の詳細設定メニュー１６０、もしくは図１２の詳細設定メニュー２００のいずれかである。詳細設定メニューにおいて特定の色が選択されると（ステップＳ６−ＹＥＳ）、調整メニューを表示させる（ステップＳ７）。調整メニューは、図１０の調整メニュー１４０，図１１の調整メニュー１７０，もしくは図１２の調整メニュー２１０のいずれかである。
【００７０】
そして、表示した調整メニューにおいて、ユーザ設定が変更された場合（ステップＳ８−ＹＥＳ）、輝度別の設定を行って中間補間を行う（ステップＳ９）。ここでは、所定の高輝度範囲（明）と低輝度範囲（暗）とにおいてそれぞれ個別に色相、彩度、明度のいずれかの調整を行うことができる。調整した高輝度範囲の設定値と、低輝度範囲の設定との中間部分を曲線補間または直線補間する。
【００７１】
以上は、カラーマネジメント機能による調整処理例を示すものであるが、ティント／カラーゲイン調整機能においても同様の手順で処理することができる。ただし、ティント／カラーゲイン調整機能においては、色選択を行うステップはなく、ティント／カラーゲインメニュー２２０を表示させ、ティントまたはカラーゲインのいずれかの調整メニューからユーザ設定値を変更することにより、ティントまたはカラーゲインの輝度別設定と中間補間処理を実行させることができる。
なお、上記実施例において記載した調整対象とする複数の輝度範囲については、工場出荷段階で予め設定しても良いし、ユーザが詳細設定メニュー等のメニュー操作に基づいて予め設定しても良い。
【図面の簡単な説明】
【００７２】
【図１】本発明に係る表示装置の一実施形態の構成例を説明するためのブロック図である。
【図２】色相、彩度、明度を円錐形で示した色度図である。
【図３】色度図上の色相分割と色相軸の調整状態を説明するための図である。
【図４】カラーマネジメント機能による彩度調整について説明するための図である。
【図５】カラーマネジメント機能による彩度制御の他の例について説明するための図である。
【図６】カラーマネジメント機能による色相の制御例について説明するための図である。
【図７】カラーマネジメント機能による明度の制御例について説明するための図である。
【図８】本発明による表示装置における映像調整メニューの表示例を示す図
【図９】図８の彩度レベル表示メニューから彩度の詳細設定を選択したときに表示される詳細設定メニューの一例を示す図である。
【図１０】図９の詳細設定メニューから特定の系統色を選択したときに表示される調整メニューの一例を示す図である。
【図１１】映像信号の輝度（Ｙ）に対してカラー設定値が予め設定されている。
【図１２】本発明による表示装置における映像調整メニューの更に他の表示例を示す図で、カラーマネジメントの色相調整メニューの例を示すものである。
【図１３】本発明による表示装置における映像調整メニューの更に他の表示例を示す図で、カラーゲイン機能による色の濃さ（彩度）の調整メニューの例を示すものである。
【図１４】本発明による表示装置における映像調整メニューの更に他の表示例を示す図で、ティント調整機能による色合い（色相）の調整メニューの例を示すものである。
【図１５】本発明の表示装置におけるカラーマネジメント機能用いた調整処理例を説明するためのフローチャートである。
【図１６】従来の色調整機能の一例を説明するための図である。
【符号の説明】
【００７３】
１…表示装置、１０…アンテナ、１１…チューナ部、１３…ＡＶセレクタ、１５…デコーダ、１６…音声処理部、１７…スピーカ、１８…映像処理部、１９…ＲＧＢプロセッサ、２０…ＬＣＤ、２１…マイコン、２２…受光部、２３…リモコン、１０１…映像調整メニュー、１１０…カラーマネジメントメニュー、１２０…彩度レベル表示メニュー、１２１…設定レベル、１２２…詳細設定ボタン、１２３…リセットボタン、１３０…詳細設定メニュー、１３１…色選択ボタン、１３２…戻るボタン、１３３…リセットボタン、１４０…調整メニュー、１４１…調整バー、１４２…調整バー、１４３…戻るボタン、１４４…リセットボタン、１５０…明度レベル表示メニュー、１５１…設定レベル、１５２…詳細設定ボタン、１５３…リセットボタン、１６０…詳細設定メニュー、１６１…色選択ボタン、１６２…戻るボタン、１６３…リセットボタン、１７０…調整メニュー、１７１…調整バー、１７２…調整バー、１７３…戻るボタン、１７４…リセットボタン、１８１…ブライトネス調整部、１８２…エンハンス部、１８３…輝度判別部、１８４…ティント／カラーゲイン調整部、１８５…カラーマネジメント部、１９０…色相レベル表示メニュー、１９１…設定レベル、１９２…詳細設定ボタン、１９３…リセットボタン、２００…詳細設定メニュー、２０１…色選択ボタン、２０２…戻るボタン、２０３…リセットボタン、２１０…調整メニュー、２１１，２１２…調整バー、２１３…戻るボタン、２１４…リセットボタン、２２０…カラーゲインメニュー、２３０…調整メニュー、２３１，２３２…調整バー、２３２…調整バー、２３３…戻るボタン、２３４…リセットボタン、２４０…調整メニュー、２４１，２４２…調整バー、２４３…戻るボタン、２４４…リセットボタン。
【図１】
2009170999.tif 000003
【図２】
2009170999.tif 000004
【図３】
2009170999.tif 000005
【図４】
2009170999.tif 000006
【図５】
2009170999.tif 000007
【図６】
2009170999.tif 000008
【図７】
2009170999.tif 000009
【図８】
2009170999.tif 000010
【図９】
2009170999.tif 000011
【図１０】
2009170999.tif 000012
【図１１】
2009170999.tif 000013
【図１２】
2009170999.tif 000014
【図１３】
2009170999.tif 000015
【図１４】
2009170999.tif 000016
【図１５】
2009170999.tif 000017
【図１６】
2009170999.tif 000018